(57)【特許請求の範囲】
【請求項１】
中央部に湾曲した支柱材抱持部を形成した略Ｕ字状金具の両側壁部の下方から側壁部の略中央にかけ、梁材が嵌入する係合切り欠きが形成されると共に、係合切り欠きの両側を脚部とし、この脚部の下端に内側へ向け屈曲部を形成した抱持金具へ、梁材と前記脚部の屈曲部間に打ち込まれる楔であって、抱持金具に挿入した梁材を圧接して固定する上板部の長手方向の両側に、前記脚部の屈曲部に係止する先細りのテーパーに形成された側板部が下方へ９０度屈曲して形成され、一方の側板部から分離した先端部分に連設する上板部分を下方へ折曲して、分離した先端部分の端面が当該側板部のテーパーの延長線より垂下した段を形成していることを特徴とするビニールハウスの骨材固定用楔。
【請求項２】
先端部分が複数に分かれ、夫々の分離した先端部分の端面が当該側板部のテーパーの延長線より垂下した段を形成していることを特徴とする請求項１記載のビニールハウスの骨材固定用楔。
【請求項３】
側板部から上板部の幅方向に切り込みを形成し、側板部から分離した先端部分に連設する上板部分を下方へ折曲して、分離した先端部分の端面が当該側板部のテーパーの延長線より垂下した段を形成していることを特徴とする請求項１又は２記載のビニールハウスの骨材固定用楔。
【発明の詳細な説明】
【技術分野】
【０００１】
本発明は、農業用ビニールハウスの骨組みを構成するアーチ状の支柱材と、支柱材と交差し棟方向に沿う梁材とを結合する抱持金具と楔より成るビニールハウスの骨材固定具の楔に関し、詳しくは固定具から抜け落ちることを防止したものに関する。
【背景技術】
【０００２】
ビニールハウスは季節によって組み立てや分解が行われると共に、強風や豪雪等による自然災害を受ける毎に組み立てや分解が行われ、何れにしても斯かる作業がかなり頻繁に行われるので、組み立てや分解作業が容易に行われるように楔を使用した固定具が主流をなしている。
【０００３】
ところで、楔を使用した固定具は、作業が楔を打ち込むハンマーだけで簡単に組み立てや分解が可能である反面、楔が振動により緩んで抜ける事が多く、ビニールハウス内で農作業中に楔が脱落し身体に当たる虞があり、又楔の脱落により梁材が落下する危険性も有しているのである。
【０００４】
一方、ビニールハウスの支柱と交差する梁材を結合する固定具において、抱持金具に打ち込まれる楔が、振動等で緩むのを簡単な構造で確実に防止するのは、極めて困難であると考えられている。
そこで、特許第３３８３２７４号では、楔が振動等で緩むのは仕方ないとしても、せめて、ビニールハウス内に飛散して落下してしまうことだけでも防止することを目的としたものが提案されている。
【特許文献１】特許第３３８３２７４号
【発明の開示】
【発明が解決しようとする課題】
【０００５】
これらの事情に鑑み、本発明は楔が振動によって緩むことを防止できると共に、従来以上に使用及び取り扱いが容易となるビニールハウスの骨材固定用楔を提供せんとするものである。
【課題を解決するための手段】
【０００６】
請求項１係るビニールハウスの骨材固定用楔の発明は、中央部に湾曲した支柱材抱持部を形成した略Ｕ字状金具の両側壁部の下方から側壁部の略中央にかけ、梁材が嵌入する係合切り欠きが形成されると共に、係合切り欠きの両側を脚部とし、この脚部の下端に内側へ向け屈曲部を形成した抱持金具へ、梁材と前記脚部の屈曲部間に打ち込まれる楔であって、抱持金具に挿入した梁材を圧接して固定する上板部の長手方向の両側に、前記脚部の屈曲部に係止する先細りのテーパーに形成された側板部が下方へ９０度屈曲して形成され、一方の側板部から分離した先端部分に連設する上板部分を下方へ折曲して、分離した先端部分の端面が当該側板部のテーパーの延長線より垂下した段を形成していることを特徴とするものである。
【０００７】
また、請求項２の発明は、請求項１の発明において、先端部分が複数に分かれ、夫々の分離した先端部分の端面が当該側板部のテーパーの延長線より垂下した段を形成していることを特徴とするものである。
【０００８】
そして、請求項３の発明は、請求項１又は２の発明において、側板部から上板部の幅方向に切り込みを形成し、側板部から分離した先端部分に連設する上板部分を下方へ折曲して、分離した先端部分の端面が当該側板部のテーパーの延長線より垂下した段を形成していることを特徴とするものである。
【発明の効果】
【０００９】
上記構成を有する本発明は、抱持金具の支柱材抱持部を支柱材に嵌合すると共に、抱持金具の係合切り欠きに梁材を嵌入し、楔の先端を梁材と抱持金具の一方の脚部の屈曲部の間に挿し込み、他方の脚部の屈曲部内に打ち込んで嵌入すれば、二つの脚部の屈曲部内を挿通した楔により支柱材と梁材は強固に固定され、従来と同様の簡単な操作で作業を遂行できる効果を有する。
【００１０】
そして、側板部の先端部分がテーパーの延長線から下方へ垂下し、分離した先端部分の端面が段を形成しているため、楔が戻ろうとしても、先端部分が側板部のテーパーの延長線から下方へ垂下している分離した先端部分の端面が、挿通した脚部の屈曲部後端面に当り、楔が脚部の屈曲部を戻って抜け出るのを阻止し緩みの生じない安定した固定を得られる効果を発揮するのである。
【００１１】
この様に楔の脱落を確実に阻止することができることにより、楔の固定状態を水平に保つために作業性を無視して、振動による脱落を少なくしようとする制約から開放される効果が派生する。
よって、例えばビニールハウスの頂部等の曲部において、二つの脚部の垂下長を異ならしめ、下方から斜め上方に向けて楔を打ち込めるように固体具を設計できる効果があり、それにより、作業が容易で作業者の身体的負担も軽減することが出来る効果も期待できるのである。
【００１２】
請求項２の発明は、複数に分かれ、夫々側板部から分離してテーパーの延長線から下方へ垂下し、分離した先端部分の端面が段を形成しておくことにより、楔が梁材固定するため二つの脚部の屈曲部内を挿通し、突き出た先端部の長さに応じた分離した先端部分の端面で形成する段を得られる効果を有するものである。
【００１３】
請求項３の発明は、側板部から上板部の幅方向に切り込みを形成して折曲することで、側板部の先端部分がテーパーの延長線から下方へ垂下し、分離した先端部分の端面が段を形成したため、折曲することで簡単容易に、且つ段差の大小を任意に形成できる効果がある。
また、脚部の屈曲部内を通過中はテーパーの延長線に規制されてスムーズな打ち込みとなり、通過して突き抜ければ弾性で復帰して分離した先端部分の端面が段を形成して抜け戻りを防止できる効果を発揮する。
さらに、必要により、先端部分を殴打してテーパーの延長線に一致させれば、抜き取りも容易に可能となり、簡単に先端部分の段形成の存否を選択できる効果を有するのである。
【発明を実施するための最良の形態】
【００１４】
本発明の実施の形態を図面に基づいて説明する。
図１は本発明の楔の一実施の形態を示す平面図、図２はその側面図であり、楔１は長方形の金属製板体で形成され、中央部は抱持金具に挿入した梁材を圧接して固定する上板部４を構成し、この上板部４の中央長手方向に補強のため凹溝４Ａが形成されると共に、梁材との当接面４Ｂ、４Ｂの中間部分に滑り止め突起４Ｃが複数設けてある。
また、上板部４の長手方向の両側には、直角に下方へ９０度屈曲した側板部２、３が形成してある。
【００１５】
側板部２、３は基部から先端に向け先細りのテーパーに形成され、一方の側板部２は、先端部分２Ａが基端部側２Ｂから分離してテーパーの延長線Ｌから下方へ垂下し、分離した先端部分２Ａの端面２Ｃが段を形成している。
即ち、先端部分２Ａを基端部側２Ｂから分離する切断線５は、側板２から上板部４の連設する当接面４Ｂ及び凹溝４Ａの止め孔４Ｄに至り、切断線５の基部から下方へ折曲して先端部分２Ａを、テーパーの延長線Ｌから下方へ垂下させて分離した先端部分２Ａの端面２Ｃを形成している。
【００１６】
図３は、楔１と共に使用される抱持金具６の一例を示す斜視図であり、抱持金具６は中央部に湾曲した支柱材７を抱持する抱持部６Ａを形成した略Ｕ字状の金具で、この抱持金具６の両側壁部の下方から両側壁部の略中央にかけ梁材８が嵌入する係合切り欠き６Ｂ、６Ｂが形成され、この係合切り欠き６Ｂ、６Ｂの前後を脚部６Ｃ、６Ｄ、とし、各脚部６Ｃ、６Ｄの下端に内側斜め上方に向け屈曲部６Ｅ、６Ｅが形成され、これらの屈曲部６Ｅに楔１の側板部２、３が打ち込まれるのである。
【００１７】
次に、図４は、本発明に係る楔１の使用状態例を示す側面図である。
土中に固定したアーチ状の支柱材７に抱持金具６の支柱材抱持部６Ａを嵌合し、抱持金具６の係合切り欠き６Ｂ、６Ｂに梁材８を嵌入し、梁材８を載せる恰好で抱持金具６の正面より楔１の先端を、前側の脚部６Ｃから後側の脚部６Ｄへ屈曲部６Ｅに、６Ｅに側板部２、３係合させて挿し込んでいき、楔１の後部をハンマー等で打撃すれば、楔１はそのまま後側の脚部６Ｄを抜けて打ち込まれ、支柱材７と梁材８を強固に結合さすのである。
【００１８】
即ち、側板部２、３は基部から先端に向け先細のテーパーに形成されているため、抱持金具６の脚部６Ｃ、６Ｄの屈曲部６Ｅと係合して楔作用により、支柱材７と梁材８を強圧して結合さすのである。
また、一方の側板部２の先端部分２Ａが、基端側の側板部２Ｂから分離してテーパーの延長線Ｌから下方へ垂下し、分離した先端部分２Ａの端面２Ｃが段を形成しているため、楔１を打ち込み先端部２Ａが後側の脚部６Ｄを抜け出ると、段を形成した分離した先端部分２Ａの端面２Ｃが脚部６Ｄの屈曲部６Ｅの下端部より垂下して該肉厚部に引っ掛り、抜け戻るのを阻止することになる。
【００１９】
先端部２Ａが後側の脚部６Ｄの屈曲部６Ｅ通過する際は，楔１の後部をハンマー等で打撃するため、垂下していても影響はなく、一時的に折曲が戻っても後側の脚部６Ｄを抜け出た時点で復帰して段を形成するものである。
テーパーの延長線Ｌから下方へ垂下する程度は、分離した先端部分２Ａの端面２Ｃが確実に屈曲部６Ｅの下端に引っ掛るようにするため、屈曲部６Ｅの肉厚部に相当する以上とするのが好ましい。
【００２０】
図５は、本発明の請求項２の実施の一形態を示す楔１の斜視図であり、先端部分２１Ａ、２２Ａの二部分に分かれ、基端部側２Ｂから夫々分離してテーパーの延長線Ｌから下方へ垂下し、分離した先端部分２１Ａ、２２Ａの端面２１Ｃ、２２Ｃが段を形成しているものであり、各端面２１Ｃ、２２Ｃを形成する切断線５１、５２は、側板２から上板部４の連設する当接面４Ｂ及び凹溝４Ａの止め孔４１Ｄ、４２Ｄに至り、切断線５１、５２の基部から下方へ折曲して先端部分２１Ａ、２２Ａを、テーパーの延長線Ｌから下方へ垂下させたものである。
【図面の簡単な説明】
【００２１】
【図１】本発明の楔の一実施の形態を示す平面図である。
【図２】図１の側面図である。
【図３】抱持金具の一例を示す斜視図である。
【図４】本発明に係る楔の使用状態例を示す側面図である。
【図５】本発明の実施の一形態を示す楔１の斜視図である。
【符号の説明】
【００２２】
１                    楔
２、３                側板部
２Ａ、２１Ａ、２２Ａ  先端部分
２Ｂ                  基端部側
２Ｃ、２１Ｃ、２２Ｃ  分離した先端部分の端面
４                    上板部凸面４Ｂ及び
４Ａ                  凹溝
４Ｂ                  当接面
４Ｃ                  滑り止め突起
４Ｄ、４１Ｄ、４２Ｄ  止め孔
５、５１、５２        切断線
６                    抱持金具
６Ａ                  抱持部
６Ｂ                  係合切り欠き
６Ｃ、６Ｄ            脚部
６Ｅ                  屈曲部
７                    支柱材
８                    梁材
Ｌ                    テーパーの延長線
【図１】
0004895919.tif 000002
【図２】
0004895919.tif 000003
【図３】
0004895919.tif 000004
【図４】
0004895919.tif 000005
【図５】
0004895919.tif 000006